(57)【要約】      （修正有）【課題】取出容器内に小袋を収納して外出先に持ち運ぶことができるとともに、小袋から取出容器に調味料を取り出すことで所望の食材に適量の調味料を添加することができ、食材の味を損なうことのないようにする携帯用調味料セットを提供する。【解決手段】醤油を小分けして密封状態で収納した５つの小袋１と、有底筐体の取出部２１及び取出部２１の上面を開閉自在に被覆する蓋部２２を有する取出容器２と、を貼着した台紙３を、少なくとも前面が透明の包装ケース４内に収納した。台紙３から取り外した１つの小袋１を取出容器２に収納して携帯することで、小分けした状態の調味料を外出先に持ち運ぶことができる。【選択図】図１
0003226212.tif 000002
【実用新案登録請求の範囲】
【請求項１】
小分けした調味料を内部に収納する小袋と、
上面が開放した前記小袋の容量よりも大きい有底筐体の取出部と、前記取出部の上面を開閉自在に被覆する蓋部と、を有する取出容器と、
少なくもと１つの前記小袋を収納する小袋収納部と、前記取出容器を収納する容器収納部と、を単一面内に有する包装ケースと、
を備えた携帯用調味料セット。
【請求項２】
小分けした調味料を内部に収納する小袋と、
上面が開放した前記小袋の容量よりも大きい有底筐体の取出部と、前記取出部の上面を開閉自在に被覆する蓋部と、を有する取出容器と、
少なくもと１つの前記小袋を収納する小袋収納部と、前記取出容器を収納する容器収納部と、を単一面内に有する包装ケースと、
を備え、
前記包装ケースは、少なくとも前面が透明の偏平中空直方体形状を呈し、
前記前面に対向して内部に収納される台紙であって少なくもと１つの前記小袋が貼着される小袋貼着部と前記取出容器が貼着される容器貼着部とを有する台紙をさらに備え、
前記台紙を前記包装ケース内に収納した状態で、前記小袋貼着部及び容器貼着部がそれぞれ前記小袋収納部及び前記容器収納部に位置する携帯用調味料セット。
【請求項３】
前記包装ケースは、孔部を穿設した吊下部を背面上部に連続して形成した請求項１又は２に記載の携帯用調味料セット。
【請求項４】
前記取出容器は、前記取出部に対して前記蓋部を着脱自在に備えた請求項１乃至３の何れかに記載の携帯用調味料セット。
【考案の詳細な説明】
【技術分野】
【０００１】
この考案は、醤油等の調味料を小分けして外出先に持ち運ぶことができる携帯用調味料セットに関する。
【背景技術】
【０００２】
醤油等の調味料を小分けして外出先に持ち運ぶ容器として、魚型やビン型の容器が知られている。これらは可撓性を有する樹脂製の中空容器であり、容器の一端に細い筒状のノズルを形成したスポイト状を呈し、ノズルから調味料を吸い取って容器内に収容し、ノズルをキャップで塞ぐ。外出先で調味料を使用する際には、キャップを外して容器を指先で押圧することで、容器内の調味料をノズルから押し出す（例えば、特許文献１参照。）。
【先行技術文献】
【特許文献】
【０００３】
【特許文献１】特開２０１１−１７８４４１号公報
【考案の概要】
【考案が解決しようとする課題】
【０００４】
しかし、特許文献１に記載された容器では、ノズルから押し出された調味料を弁当等に収納されている食材に直接注ぐことになり、食材への調味料の添加量の調整が難しい。また、複数種の食材が接近して収納されている場合に、既に別の調味料で味付けされている食材や調味料を添加したくない食材にも容器から注がれた調味料が付着し、味が損なわれる。また、使用後の容器は、内部を洗浄することで繰り返し使用することができるが、容器内部の洗浄に際して、ノズルから吸い取った水で容器内部に付着した調味料を濯ぐことになり、十分に洗浄することが難しい。
【０００５】
この考案の目的は、調味料を小分けして収納した少なくとも１つの小袋と、この小袋に収納された調味料を取り出すための取出容器と、をセットにすることにより、取出容器内に小袋を収納して外出先に持ち運ぶことができるとともに、小袋から取出容器に調味料を取り出することで所望の食材のみに適量の調味料を添加することができ、食材の味を損なうことのない携帯用調味料セットを提供することにある。
【課題を解決するための手段】
【０００６】
この考案の携帯用調味料セットは、小袋、取出容器、包装ケースを備えている。小袋は、小分けした調味料を内部に収納する。取出容器は、上面が開放した小袋の容量よりも大きい有底筐体の取出部と、取出部の上面を開閉自在に被覆する蓋部と、を有する。包装ケースは、少なくもと１つの小袋を収納する小袋収納部と、取出容器を収納する容器収納部と、を単一面内に有する。
【０００７】
この構成により、包装ケース内に少なくとも１つの小袋と取出容器とが収納された状態で１つの商品として販売できる。購入者は、包装ケースから取り出した１つの小袋を取出容器内に収納して携帯することで、小分けした調味料を外出先に持ち運ぶことができる。外出先で調味料を使用する際には、取出容器から小袋を取り出した後、小袋内の調味料を取出部に取り出すことで、所望の食材のみに適量の調味料を添加することができる。
【０００８】
この構成において、包装ケースは、少なくとも前面が透明の偏平中空直方体形状を呈し、前面に対向して内部に収納される台紙であって、表面に少なくもと１つの小袋が貼着される小袋収納部と、取出容器が貼着される容器収納部と、を有する台紙を備えたものとすることができる。顧客が内容物を視認し易い状態で、携帯用調味料セットを販売できる。
【０００９】
また、包装ケースは、孔部を穿設した吊下部を背面上部に連続して形成したものとすることができる。孔部に陳列棒を貫通させることで、スペースを有効に活用して複数個の携帯用調味料セットを陳列することができる。
【００１０】
さらに、取出容器は、取出部に対して蓋部を着脱自在に備えることができる。調味料の使用時には、取出部から蓋部を取り外すことにより、取出部に小袋から調味料を取り出す際や食材に取出部の調味料を添加する際に蓋部が干渉することがなく、調味料を容易に使用することができる。
【考案の効果】
【００１１】
この考案によれば、取出容器内に小袋を収納して外出先に持ち運ぶことができるとともに、小袋から取出容器に調味料を取り出することで所望の食材のみに適量の調味料を添加することができ、食材の味を損なうことを防止できる。
【図面の簡単な説明】
【００１２】
【図１】は、この考案の第１の実施形態に係る携帯用調味料セットの外観図である。
【図２】（Ａ）〜（Ｃ）は、同携帯用調味料セットにおける取出容器の使用状態を説明する図である。
【図３】は、この考案の第２の実施形態に係る携帯用調味料セットの断面図である。
【考案を実施するための最良の形態】
【００１３】
以下に、この考案の実施形態に係る携帯用調味料セットについて図面を参照しつつ説明する。
【００１４】
図１に示すように、この考案の第１の実施形態に係る携帯用調味料セット１０は、小袋１、取出容器２、台紙３及び包装ケース４を備えている。小袋１は、一例として樹脂フィルムを２つ折りにして対向する２側端部を熱融着させて袋状とし、この考案の調味料である醤油を開放した上端部から適量だけ注入した後、上端部を熱融着させることで、醤油を小分けして密封状態で収納している。
【００１５】
取出容器２は、上面が開放した小袋１の容量よりも大きい有底筐体の取出部２１と、取出部２１の上面を開閉自在に被覆する蓋部２２と、を有し、金属薄板のプレス加工品又は樹脂成形品とすることができる。台紙３は、一例として厚紙を矩形に切断して形成され、表面の下部の容器貼着部３１に取出容器２が貼着されており、表面の中間部の小袋貼着部３２に一例として５つの小袋１が一部を重ねて貼着されている。
【００１６】
包装ケース４は、一例として、硬質透明樹脂フィルムを素材として略偏平中空直方体形状に形成されている。包装ケース４は、背面４２を除く５面のうち最大面積の前面４１が台紙３の面積に略匹敵するとともに、前面４１の法線方向の厚さは取出容器２の厚さと台紙３の厚さとの和に略匹敵し、５つの小袋１、取出容器２及び台紙３を収納する。包装ケース４の背面４２には、上方に延出した吊下部４３が形成されており、吊下部４３の中央部に孔部４４が穿設されている。包装ケース４には、単一面内に容器収納部４５及び小袋収納部４６が構成されており、容器収納部４５及び小袋収納部４６のそれぞれに、台紙３の容器貼着部３１及び小袋貼着部３２が位置する。
【００１７】
包装ケース４は、硬質透明樹脂フィルムを素材としているため、前方から視認可能な状態で５つの小袋１、取出容器２及び台紙３を収納する。携帯用調味料セット１０の販売時に、複数の包装ケース４の孔部４４に順に陳列棒を貫通させることにより、スペースを有効に活用して複数個の携帯用調味料セット１０を陳列することができる。但し、包装ケース４において吊下部４３は必須ではなく、削除携帯用調味料セット１０を平積みして陳列するのであれば、吊下部４３を除くこともできる。
【００１８】
なお、包装ケース４は、少なくとも前面が透明であればよく、硬質透明樹脂フィルムを素材とするものに限らない。また、台紙３において、小袋貼着部３２の上方の部分には商品名や商標等の図柄を記載することができ、この部分を除去して包装ケース４の高さを短縮することもできる。
【００１９】
図２（Ａ）に示すように、取出容器２において、取出部２１の４辺の上端部は外側に折り曲げた折曲部２１１とされ、蓋部２２の１つの短辺を除く３辺は内側に折り曲げた屈曲部２２１とされている。蓋部２２の２つの長辺の屈曲部２２１内に取出部２１の２つの長辺の折曲部２１１を嵌入させることで、蓋部２２が取出部２１の上面に沿って取出部２１の上面の全面を被覆する閉鎖位置と取出部２１から取り外された分離位置との間にスライドする。
【００２０】
なお、折曲部２１１及び屈曲部２２１に設けられた図外の突起及び凹部の嵌合により、蓋部２２を閉鎖位置で保持することができる。
【００２１】
取出部２１は、小袋１の容量よりも大きくされているため、内部に台紙３から取り外した１つの小袋１を収納した状態で蓋部２２を閉鎖位置に保持させることで、小分けした醤油を簡単かつ衛生的に外出先に持ち運ぶことができる。蓋部２２を取出部２１から取り外すことができるため、蓋部２２との干渉を生じることなく容易に小袋１を取出部２１に収納することができる。小袋１を一つずつ取り外した後、少なくとも１つの小袋１が貼着された状態の台紙３を包装ケース４に再度収納することで、５つの小袋１は全てを使用するまで確実に保管することができる。
【００２２】
外出先で醤油を使用する際には、図２（Ｂ）に示すように、蓋部２２を分離位置までスライドさせて取出部２１から取り外し、取出部２１から小袋１を取り出す。この後、図２（Ｃ）に示すように、小袋１の一部を切り取り、小袋１が収納していた醤油を取出部２１に注ぐことで、所望の食材のみに取出部２１にとりだされた醤油を添加することができる。このとき、蓋部２２は取出部２１から取り外されており、蓋部２２との干渉を生じることなく容易に醤油を食材に添加することができる。
【００２３】
図３に示すように、この考案の第２の実施形態に係る携帯用調味料セット１１０は、携帯用調味料セット１０における包装ケース４に代えて包装ケース１４を備え、台紙３を除いたものである。包装ケース１４は、背面１４２に傾斜面１４２１及び立ち上げ面１４２２を備え、傾斜面１４２１から上面１４７の間に小袋収納部４６が形成され、立ち上げ面１４２２から底面１４８の間に容器収納部４５が形成されている。
【００２４】
小袋収納部４６には、上下方向に沿って一例として５個の小袋１が上端部を背面１４２の内側面に貼着して収納されている。容器収納部４５には、取出容器２が収納されている。包装ケース１４の背面１４２の下端部１４９をヒンジとして前面１４１及び上面１４７が前方に移動することで、容器収納部４５及び小袋収納部４６から取出容器２及び小袋１を取り出すことができる。
【００２５】
包装ケース１４において、傾斜面１４２１は必須ではなく、立ち上げ面１４２２と平行な面とすることもできる。また、小袋収納部４６は、少なくとも１つの小袋１の収納位置を維持できることを条件に、必ずしも背面１４２の内側面に貼着する必要はなく、例えば、小袋１を１つずつ収納する外側に凸となる凹部を背面１４２に形成することもできる。
【００２６】
なお、上記の実施形態は何れも一例であり、この考案はこれらに限定されるものではなく、この考案の範囲内で種々の変更を加えることが可能である。例えば、取出容器２は、取出部２１の上端部の一辺に蓋部２２を回転自在に支持するヒンジ部を設け、取出部２１から蓋部２２を分離できないようにすることで、蓋部２２の紛失を防止するようにしてもよい。また、小袋１は、醤油に限らず、液体、粉体、粘性体等の任意の調味料を収納するものとすることができ、包装ケース４又は１４内に収納する小袋１の数は、少なくとも１つであればよい。
【符号の説明】
【００２７】
１−小袋
２−取出容器
３−台紙
４−包装ケース
１０−携帯用調味料セット
２１−取出部
２２−蓋部
３１−容器貼着部
３２−小袋貼着部
４１−前面
４２−背面
４３−吊下部
４４−孔部
４５−容器収納部
４６−小袋収納部
【図１】
0003226212.tif 000003
【図２】
0003226212.tif 000004
【図３】
0003226212.tif 000005